(57)【特許請求の範囲】
【請求項１】
厚さ方向に透過する光を拡散させる光拡散層を備えた光拡散シートにおいて、
前記光拡散層の観察面に、1次元方向に並列に形成された断面略Ｖ字状の複数の溝と、
前記溝に充填された黒色の液体又は固体であって、前記光拡散層より低い屈折率となる物質と、を有し、前記溝は、観察面側にＶ字状に開き、且つ、Ｖ字の先端が前記光拡散層中に位置していること
を特徴とする光拡散シート。
【請求項２】
請求項１において、
前記溝を構成する両壁は、液体及び固体のいずれかであって前記光拡散層より低い屈折率となる物質により覆われていることを特徴とする光拡散シート。
【請求項３】
請求項１において、
前記物質は粒子状固体であることを特徴とする光拡散シート。
【請求項４】
請求項２において、
前記物質は粒子状固体であることを特徴とする光拡散シート。
【請求項５】
請求項４において、
前記物質は黒色の液体又は固体であることを特徴とする光拡散シート。
【請求項６】
請求項１乃至５のいずれかにおいて、
前記物質は樹脂であることを特徴とする光拡散シート。
【請求項７】
請求項１乃至６のいずれかにおいて、
前記溝の断面形状は、前記Ｖ字の２辺の長さが等しいことを特徴とする光拡散シート。
【請求項８】
請求項１乃至７のいずれかにおいて、
前記溝を構成する両壁と、前記両壁の各々に連続する前記観察面とのなす角度が、９５度乃至１０５度であることを特徴とする光拡散シート。
【請求項９】
請求項１乃至８のいずれかにおいて、
前記溝には光吸収層が設けられることを特徴とする光拡散シート。
【請求項１０】
請求項１乃至９のいずれかにおいて、
前記観察面には透光性シートが当接配置されており、前記透光性シートにおける前記溝に対向する表面には光吸収層が設けられることを特徴とする光拡散シート。
【請求項１１】
請求項１乃至１０のいずれかにおいて、
前記光拡散層の入射面側に、更に、厚さ方向に透過する光を拡散させる第２光拡散層を配置することを特徴とする光拡散シート。
【請求項１２】
請求項１乃至１１のいずれかにおいて、
前記光拡散層の観察面側に、反射防止層、偏光フィルタ層、帯電防止層、防眩処理層、ハードコート層の少なくとも１つが配設されることを特徴とする光拡散シート。
【請求項１３】
請求項１乃至１２のいずれかにおいて、
前記光拡散層の入射面側に、略同心円弧状又は平行に配列され、斜めから入射する光を、前記光拡散層に対して垂直に入射するように内部で全反射させる複数のプリズムが一体的に設けられることを特徴とする光拡散シート。
【請求項１４】
請求項１乃至１２のいずれかに記載の光拡散シートと、
前記光拡散シートの入射側において、これと平行に配置されるフレネルレンズシートと、
を備えることを特徴とする透過型スクリーン。
【請求項１５】
請求項１乃至１３のいずれかに記載の光拡散シートを備えたことを特徴とする透過型表示装置。
【請求項１６】
請求項１５において、
前記光拡散シートに対して、これと同様の構成の第２光拡散シートを、これらの溝の方向が垂直となるように９０度ずらして配置したことを特徴とする透過型表示装置。
【発明の詳細な説明】
【０００１】
【発明の属する技術分野】
本発明は、コンピュータやテレビジョン等に用いるＣＲＴディスプレイ装置、液晶表示装置やプラズマ表示装置、ＣＲＴや液晶ライトバルブを用いた背面投射型表示装置等に用いて好適な光拡散シート、この光拡散シートを用いた透過型スクリーン、透過型表示装置に関する。
【０００２】
【従来の技術】
従来より、液晶表示装置やＣＲＴディスプレイ装置、各種プロジェクションディスプレイ装置等においては、観察者の視認性を高めるためスクリーンに光拡散シートを用いたものが知られている。
【０００３】
この光拡散シートは、例えば、透光性フィルムの表面を凹凸処理したもの、樹脂フィルムの内部に光拡散性微粒子を含有させたもの、円柱状のレンズが１つの平面上に並列配置されたレンチキュラーレンズシート等がある。又、これらのシートを２、３枚組合わせて用いることも行なわれている。
【０００４】
これらは、フィルム、大気、微粒子等の各屈折率の差を利用してこれらの境界において映像光を多方向に屈折させ、前記映像光を広範囲に拡散して観察者側に出射することで視認性の向上を図っている。
【０００５】
【発明が解決しようとする課題】
しかし、一方においては、多量の光拡散性微粒子や多くの凹凸が形成されたシート表面によって映像光が乱反射して多くの迷光を生じさせることになり、ディスプレイの表面輝度の低下、コントラストの低下等を招いていた。
【０００６】
又、前記表面の凹凸処理により拡散性を有するものは、その拡散性及び透明性に角度依存性があり、ディスプレイを見る角度によって視認性が変化するという問題があった。例えば、ディスプレイにおいて、正面からでは視認性のよい映像が得られるが、視角が大きくなると画像が白くなる現象がある。
【０００７】
一方、前記光拡散シートの光拡散性は、外光の散乱反射を増加させることにもつながり、コントラストが著しく低下して映像がボケ易いという問題点があった。
【０００８】
特に、前記光拡散シートを、コレステリック液晶を利用した液晶表示装置に用いた場合、この光拡散シートにより生じる外光の散乱光が、液晶素子にあらゆる角度から入射するため、観察者の視角の変化によって色調変化が生じるという問題点があった。
【０００９】
本発明は、上記問題点に鑑みてなされたものであり、従来とは異なる方法で映像光を拡散し、又、コントラストの低下を押さえた光拡散シート、この光拡散シートを用いた透過型スクリーン、透過型表示装置を提供することを目的とする。
【００１０】
【課題を解決するための手段】
本発明は、厚さ方向に透過する光を拡散させる光拡散層を備えた光拡散シートにおいて、前記光拡散層の観察面に、1次元方向に並列に形成された断面略Ｖ字状の複数の溝と、前記溝に充填された黒色の液体又は固体であって、前記光拡散層より低い屈折率となる物質と、を有し、前記溝は、観察面側にＶ字状に開き、且つ、Ｖ字の先端が前記光拡散層中に位置していることを特徴とする光拡散シートにより上記目的を達成するものである。
【００１１】
又、前記光拡散シートにおいて、前記溝の断面形状は、前記Ｖ字の２辺の長さが等しくなるようにしてもよい。
【００１２】
又更に、前記溝を構成する両壁と、前記両壁の各々に連続する前記観察面とのなす角度が、９５度乃至１０５度となるようにしてもよい。
【００１４】
又、前記溝を構成する両壁は、液体及び固体のいずれかであって前記光拡散層より低い屈折率となる物質により覆われるようにしてもよい。
【００１５】
又更に、前記物質は粒子状固体としてもよい。
【００１６】
更に又、前記物質は黒色の液体又は固体としてもよい。
【００１７】
又、前記物質は樹脂であるようにしてもよい。
【００１８】
又更に、前記溝には光吸収層が設けられるようにしてもよい。
【００１９】
更に又、前記観察面には透光性シートが当接配置されており、前記透光性シートにおける前記溝に対向する表面には光吸収層が設けられるようにしてもよい。
【００２０】
又、前記光拡散層の入射面側に、更に、厚さ方向に透過する光を拡散させる第２光拡散層を配置するようにしてもよい。
【００２１】
又更に、前記光拡散層の入射面側に、斜めから入射する光を、前記光拡散層に対して垂直に入射するように内部で全反射させる複数のプリズムを一体的に設けるようにしてもよい。
【００２２】
更に又、前記光拡散層の観察面側に、反射防止層、偏光フィルタ層、帯電防止層、防眩処理層、ハードコート層の少なくとも１つが配設されるようにしてもよい。
【００２３】
本第２発明は、上記第１発明の光拡散シートと、前記光拡散シートの入射側において、これと平行に配置されるフレネルレンズシートと、を備えることを特徴とする透過型スクリーンにより、上記目的を達成するものである。
【００２４】
本第３発明は、上記第１発明の光拡散シートを備えたことを特徴とする透過型表示装置により、上記目的を達成するものである。
又、前記光拡散シートに対して、これと同様の構成の第２光拡散シートを、これらの溝の方向が垂直となるように９０度ずらして配置するようにしてもよい。
【００２５】
【発明の実施の形態】
本発明の実施形態の例を、以下図面を参照して詳細に説明する。
【００２６】
本発明の実施の形態の第１例に係る光拡散シート１０は、図１に示されるように、透明基材シート１２と、光拡散層１４と、透光性シート１６と、を光源側からこの順に積層して構成される。
【００２７】
前記透明基材シート１２は透明な樹脂シート、例えばポリエチレンテレフタレート（ＰＥＴ）シートからなり、光源からの出射光（映像光）が入射面１２Ａから入射し、厚さ方向に透過可能とされている。
【００２８】
この透明基材シート１２に積層される前記光拡散層１４は紫外線硬化型の透明樹脂からなり、この光拡散層１４の観察面１４Ａには、断面がＶ字状となる複数の溝１８が１次元方向(図１において左右方向）に並列形成されている。
【００２９】
前記観察面１４Ａを覆うように配置される前記透光性シート１６は、前記透明基材シート１２と同様にＰＥＴシート等の透明な樹脂シートからなり、この透光性シート１６における前記溝１８に対向する表面には、黒色に着色された低屈折率の樹脂からなる光吸収層２０が設けられている。なお、前記溝１８の残りの空間は空気で充填されている。
【００３０】
前記溝１８は、前記断面Ｖ字状のＶ字の２辺の長さが等しくなるように形成されており、又、このＶ字の各辺に対応する溝の両壁１８Ａと、この両壁１８Ａの各々に連続する前記観察面１４Ａとのなす角度αが、各々９５度≦α≦１０５度となるようにされている。
【００３１】
従って前記角度αが１００度の場合は、図２（Ａ）に示されるように、前記入射面１２Ａに対して垂直に入射した入射光Ｎは、前記壁１８Ａに対して１０度の傾斜角を有しており、この壁１８Ａにおいて全反射する。全反射した光は観察面１４Ａの直角方向に対して約２０度の傾斜角をなして出射し、前記透光性シート１６で多少屈折されて観察者側への出射光Ｓとなる。又、前記壁１８Ａに反射せず、各溝１８と溝１８との間を透過した入射光Ｎは、屈折されることなく直線的に観察者側に出射する。
【００３２】
又同様に、図２（Ｂ）に示されるように、入射光Ｎが前記入射面１２Ａの直角方向に対して±１５度の範囲で拡散されるように設定した場合は、前記壁１８Ａにより全反射する光と、前記壁１８Ａで反射せず、各溝１８と溝１８との間を透過した光を含めて約±３０度〜約±４０度の拡散角度範囲となって出射する。
【００３３】
又、図２の点線で示されるように、外光によって生じた拡散光や、他の要因によって生じた迷光等は、前記壁１８Ａに進入する角度が大きいため全反射せず、溝１８内に屈折させられて前記光吸収層２０に吸収される。
【００３４】
次に、前記光拡散シート１０の製造方法及び製造装置について、図３を参照して説明する。
【００３５】
第１工程に用いる製造装置２２は、図３（Ａ）に示されるように、所望の前記溝１８と逆形状の凸部２４Ａ（凸部２４Ａは誇張して図示されている）が表面に形成される成形ロール２４と、この成形ロール２４に当接して、透明基材シート１２を前記成形ロール２４に押圧可能な押圧ロール２６と、前記成形ロール２４に当接配置され、この成形ロール２４上の硬化したシートを剥離可能な剥離ロール２７と、前記成形ロール２４のロール表面に紫外線硬化性樹脂を均一に塗布可能な塗工ノズル２８と、この塗工ノズル２８に前記紫外線硬化性樹脂を供給するポンプ３０と、前記成形ロール２４のロール表面に塗布された紫外線硬化性樹脂を硬化させる紫外線照射装置３２と、を備えて構成される。
【００３６】
前記光拡散シート１０を得るには、まず紫外線硬化性樹脂を成形ロール２４のロール表面に塗布する。この紫外線硬化性樹脂層の上に積層するように、透明基材シート１２を押圧ロール２６により案内し、その後、外側から紫外線を照射する。紫外線は前記透明基材シート１２を透過して前記紫外線硬化性樹脂層を硬化させ、この樹脂と透明基材シート１２が一体となった状態で、前記剥離ロール２７により成形ロール２４から分離される。従って、図３（Ａ）にて拡大して示されるように、透明基材シート１２上に表面に所望の溝１８が形成された光拡散層１５が積層され、第１工程が終了する。
【００３７】
次に、第２工程に用いる製造装置３４は、図３（Ｂ）に示されるように、２枚のシートをまとめて挟持、押圧可能な一対の押圧ロール対３６と、前記ロール対３６を通過したシートに紫外線を照射する紫外線照射装置３２と、を備えて構成される。
【００３８】
第２工程においては、前記押圧ロール対３６が挟持して水平方向に支持された透光性シート１６の上方から、第１工程において製造されたシートが、前記光拡散層１５を前記透光性シート１６に押し付けるようにして供給される。なお、２点鎖線で示されるように、互いの密着性を高めるため前記透光性シート１６表面に当初から接着層を塗布しておくことも好ましい。
【００３９】
押圧ロール対３６のロール入側の２枚のシート間には、黒色に着色された低屈折率樹脂３７が供給される。押圧ロール対３６の挟持力により、この低屈折率樹脂３７は前記溝１８内に押し込まれ、これらのシートが一体となって搬出される。前記低屈折率樹脂３７は紫外線硬化性を有しており、その後、紫外線を照射して硬化させると図１において示した光吸収層２０が形成され、最終的に前記光拡散シート１０を得ることができる。
【００４０】
又、上記の製造方法以外にも、例えば公知の熱可塑性樹脂を用いた熱プレス法や、光拡散層１５と逆形状の型の内部に熱可塑性又は硬化性樹脂を充填して成形する射出成形法により前記光拡散シート１０を製造することも可能である。これらの方法を用いると、前記透明基材シート１２が省かれるので、前記光拡散シート１０を更に薄くすることが可能となる。
【００４１】
前記光拡散シート１０は、図２に示されるように、前記溝１８が形成される方向に対して直角方向に指向性がある光拡散特性を有する。従って、前記溝１８が鉛直方向となるように、この光拡散シート１０をディスプレイに設置すると、入射光（映像光）が主として水平方向に拡散されるため、観察者にとって大変見やすいディスプレイとなる。
【００４２】
又、この光拡散シート１０を通過する迷光の大部分は、前記光吸収層２０に吸収されるため、コントラストの低下等を防止することができる。この光吸収層２０は、ブラックストライプ（ＢＳ）の役割も兼ねているため、高いコントラストの映像を得ることが可能となる。
【００４３】
前記光拡散シート１０に観察者側から入射する外光は、光吸収層２０に直接吸収されるものを除き、図２に示される光路と逆方向を辿って入射面１２Ａ側に出射する。従って、観察者側表面に対して斜めに入射した外光であっても、各層の境界面に対して垂直方向に進行方向が修正されるため、各境界における全反射を抑制することができ、ディスプレイ後面において外光を効果的に吸収可能となる。
【００４４】
一方、上記の性質は、反射型ディスプレイ装置に用いる場合にも有効である。即ち、反射型ディスプレイの反射板よりも観察者側に前記光拡散シート１０を設置することで、外光を反射板に対して垂直となるように入射させ、且つ、この反射板による反射光を再度拡散して観察者側に出射することができるので、外光の有効利用が図られる。
【００４５】
更に、上記の性質は、前記光拡散シート１０を液晶ディスプレイ装置に用いる場合にも有効である。即ち、外光が液晶素子に対して常に略垂直方向に入射する結果、観察者の視角変化による色調変化を抑制することが可能となる。
【００４６】
次に、図４に示される実施の形態の第２例に係る光拡散シート１０Ａについて説明する。
【００４７】
この光拡散シート１０Ａは、実施形態の第１例で示した光拡散シート１０の入射面１２Ａに、前記溝１８方向と垂直となる断面不等辺三角形状の複数の柱状プリズム４０を並列形成したものである。なお、その他の構成は、実施の形態の第１例の光拡散シート１０とほぼ同一であるため、この光拡散シート１０と同一部分には同一符号を付することで説明は省略する。
【００４８】
前記光拡散シート１０Ａは、図４の光路Ａで示されるように、光拡散シート１０Ａに対して斜めから入射する映像光が前記柱状プリズム４０内部で全反射し、光拡散層１４に対して垂直に入射させることが可能となるため、特に、斜め上方又は下方からスクリーンに映像光が投射される背面投写型ディスプレイ装置等に用いる場合に好適である。
【００４９】
又、この光拡散シート１０Ａは、入射面に円弧状の凹凸を有するレンチキュラーレンズシートと異なり、入射面側に前記柱状プリズム４０を直接形成することができるため、１枚の光拡散シート１０によりスクリーンを構成することが可能となる。
【００５０】
なお、前記光拡散シート１０Ａにおいては、断面不等辺三角形状の柱状プリズム４０を複数並列形成したものを示したが、本発明はこれに限定されず、円柱型、縄の目型など、その用途に応じてあらゆるタイプの型を選択可能である。又、これらのプリズム表面に微細凹凸を形成し、光拡散性を有するようにしてもよい。
【００５１】
前記光拡散シート１０、１０Ａにおいては、前記溝１８に空気が充填されている場合を示したが、本発明はこれに限定されるものでない。この溝１８には前記光拡散層１４よりも低い屈折率となる物質（気体、液体、固体いずれも可能）を充填することが好ましく、更に望ましくは、前記物質を黒色に着色し、光吸収層及びＢＳの役目を兼ねさせるようにしても良い。
【００５２】
又、光拡散シート１０、１０Ａの製造時の便利のため、前記物質を微細な粒子状固体とし、前記溝１８内部に敷き詰めるようにしてもよい。このようにすれば、界面が空気となるので、前記物質の屈折率を自由に設定することが可能となり、又、この物質を黒色に着色するのに好ましい状況となる。
【００５３】
更に、本発明に係る光拡散シートは、前記溝１８内に物質を充填する場合に限定されず、前記壁１８Ａに液体又は固体の前記物質を塗布することで、前記壁１８Ａにおいて入射光を全反射させるようにしてもよい。
【００５４】
しかし、前記物質は、製造の容易性等を考慮すると、空気以外としては樹脂を用いるのが好ましく、又特に使用時の流出等を防止するためには、紫外線や電子線等によって硬化可能な硬化性樹脂を用いることが望ましい。
【００５５】
次に、図５に示される実施の形態の第３例に係る透過型スクリーン４２について説明する。
【００５６】
この透過型スクリーン４２は、光拡散性微粒子４４を含有させた第２光拡散層４６を前記透明基材シート１２に代えて積層した光拡散シート１０Ｂと、この光拡散シート１０Ｂの入射面１４Ａ側に配置されるフレネルレンズシート４７と、を備えて構成される。
【００５７】
前記透過型スクリーン４２によれば、まず、フレネルレンズシート４７により映像光をスクリーンに対して垂直方向に集光し、前記第２光拡散層４６に垂直入射させる。この第２光拡散層４６は、等方的な±１５度の角度範囲の拡散特性に設定されており、この第２光拡散層４６を通過した映像光は、既に図２（Ｂ）に示したように、光拡散層１４を通過して約±３０度〜約±４０度の拡散角度でもって出射することになる。
【００５８】
従って、この透過型スクリーン４２を前記溝１８が鉛直方向となるように背面投射型ディスプレイに設置すれば、水平方向拡散角度範囲が約±３０度〜約±４０度、鉛直方向の拡散角度範囲が約±１５度となる最適な出射光を得ることが可能となる。
【００５９】
なお、前記第２光拡散層４６は光拡散性微粒子４４を用いたものに限定されず、表面を微細凹凸処理したマット化処理や、既に実施の形態の例において示した光拡散層１４を配置してもよい。
【００６０】
次に、図６に示される実施の形態の第４例に係る透過型表示装置４８について説明する。
【００６１】
この透過型表示装置４８は、実施形態の第１例で示したものと同様な２枚の第１及び第２光拡散シート５０、５０Ａと、第１偏光シート５２と、液晶パネル５４と、第２偏光シート５２Ａと、バックライト装置５６と、を最観察者側から順に配置して構成されている。なお、前記液晶パネル５４は、カラーフィルタ層、透明電極層、液晶層等が所定の順に積層して構成される。
【００６２】
前記バックライト装置５６は、アレイ状プリズムシート等によって、光源光が等方性の約±１５度の拡散角度範囲となるように設定されている。又、前記第１及び第２光拡散シート５０、５０Ａは、互いに溝１８の方向が垂直となるように９０度ずらして配置されている。
【００６３】
前記透過型表示装置４８によれば、各偏光シート５２、５２Ａ、液晶パネル５４を通過した約±１５度の拡散範囲の映像光が、第１及び第２光拡散シート５０、５０Ａにより、２次元方向に各々約±３０度〜約±４０度の範囲で拡散されて出射する。
【００６４】
従って、高コントラストで、且つ、広視野角となる視認性に優れた透過型表示装置４８を得ることが可能となる。
【００６５】
なお、このように２次元方向の拡散特性を有する出射光を得るためには、１枚の光拡散シートの拡散層に、複数の前記溝１８を２次元方向に並列に形成、即ち網目状に形成することも好ましい。
【００６６】
又、上記実施の形態の例で示した光拡散シート１０、１０Ａ、１０Ｂ、５０、５０Ａの観察面１４側に、反射防止層、偏光フィルタ層、帯電防止層、防眩処理層、ハードコート層の少なくとも１つを配設することも好ましい。  ここで、上記の反射防止層、低屈折率層、偏光フィルタ層、帯電防止層、防眩処理層、ハードコート層についての概要を説明する。
【００６７】
まず、反射防止層は、例えば表面に入光する外光の反射率を抑える機能を有するフィルムをラミネートしたり、光拡散シート表面を直接反射防止処理することにより得られる。なお、上記フィルムは、屈折率１．６０未満とするのが好ましく、更に好ましくは１．４５以下とする。
【００６８】
前記防眩処理層は、防眩性機能を有するフィルムをラミネートしたり、光拡散シート表面を直接防眩処理することにより得られる。なお、この防眩フィルムには、凝集性シリカ等の粒子を表面に凝集させて表面に凹凸形状を形成するタイプ、樹脂塗膜の膜厚以上の粒径を有する有機フィラーを前記樹脂塗膜内に添加して、樹脂層表面に凹凸形状を形成するタイプ等がある。
【００６９】
前記帯電防止層は、表面に帯電防止用のフィルムをラミネートしたり、光拡散シート表面を直接帯電防止処理することにより得られる。
【００７０】
ハードコート層は、表面の強度を増して傷等がつかないようにした耐摩耗性フィルムをラミネートしたり、光拡散シート表面を直接ハードコート処理することにより得られる。
【００７１】
偏光フィルタ層は、前記実施の形態の第４例で示した透過型表示装置４８の第１偏光シート５２の役割をなすものであり、この偏光シートを前記光拡散シート表面に直接ラミネートすることにより得られる。
【００７２】
又、本発明にかかる光拡散シートは、前記光吸収層２０、透光性シート１６を有するものに限定されるものでなく、又、前記溝の断面形状も、Ｖ字の２辺が等しくなるものに限定されない。これらは、光拡散シートの用途に応じて必要なコントラスト、輝度、拡散特性等を考慮し、適宜決定されるものである。
【００７３】
以上、実施の形態の例を通じて本発明に係る光拡散シート、透過型スクリーン、及び、透過型表示装置を具体的に示したが、本発明はこれらに限定されるものではなく、各具体例に示された光拡散シートの特徴を組合わせたり、本発明の要旨を逸脱しない範囲で単に設計変更を加えたりしたものは本発明に包含されるものである。
【００７４】
【実施例】
本発明の実施例に係る透過型表示装置について、具体的に説明する。
【００７５】
この透過型表示装置４８Ａは、図７に模式的に示されるように、液晶ライトバルブ５８を映像光源とし、この液晶ライトバルブ５８の斜め上方に実施の形態の第２例に係る光拡散シート１０Ａ配置して構成されており、液晶ライトバルブ５８は、光拡散シート１０Ａに向けて斜め上方に映像光を投射するようになっている。
【００７６】
前記液晶ライトバルブ５８と光拡散シート１０Ａとの位置関係は、液晶ライトバルブ５８から光拡散シート１０Ａの上端に放たれる映像光線と光拡散シート１０Ａとのなす角度が３０度、光拡散シート１０Ａの下端に放たれる映像光源と光拡散シート１０Ａとのなす角度が４５度となるように設定される。
【００７７】
前記光拡散シート１０Ａは、具体的には図８に示されるように、溝１８が鉛直方向、且つ、前記柱状プリズム４０は水平方向となるように配置されている。
【００７８】
前記柱状プリズム４０は、頂角が３７度であり、水平方向に略凹円弧形状に湾曲されている。これは、液晶ライトバルブ５８から放たれる映像光は放射状に進行することから、水平方向左右外側において映像が歪むのを防止するためである。又、前記柱状プリズム４０の外表面はマット化処理がされており、等方性の約±１５度の拡散光が得られるように設定される。
【００７９】
前記溝１８の大きさは、頂角が１０度となるように設定されており、この溝の内部には黒色粒子が充填されている。各溝１８の大きさは、各溝１８間のピッチＬが溝１８の最大幅Ｓに対して２倍となるようにされている。
【００８０】
前記透過型表示装置４８Ａにおいて、この光拡散シート１０Ａの特性を調べたところ、反射率約４．５％、透過率約８５％の結果となった。又、光拡散シート１０Ａの最観察者側表面に反射防止フィルムをラミネートした場合は、反射率約５０．８％，透過率約８８％の結果となった。
【００８１】
【発明の効果】
本発明によれば、観察者にとって最適な拡散特性を有し、又、コントラストの低下が抑えられた光拡散シート、この光拡散シートを用いた透過型スクリーン、透過型表示装置を得ることができる。
【図面の簡単な説明】
【図１】本発明の実施の形態の第１例に係る光拡散シートを示す断面図
【図２】同光拡散シートの入射光を拡散する状態を示す模式図
【図３】同光拡散シートの製造装置及び製造方法を示す模式図
【図４】本発明の実施の遺体の第２例に係る光拡散シートを示す斜視図
【図５】本発明の実施の遺体の第３例に係る透過型スクリーンを示す断面図
【図６】本発明の実施の遺体の第４例に係る透過型表示装置を示す斜視図
【図７】本発明の実施例に係る透過型表示装置を示す側面概略図
【図８】同透過型表示装置に用いた光拡散シートを示す斜視図
【符号の説明】
１０、１０Ａ…光拡散シート
１２…透明基材シート
１２Ａ…入射面
１４、４６…光拡散層
１４Ａ…観察面
１６…透光性シート
１８…溝
２０…光吸収層
４０…柱状プリズム
４２…透過型スクリーン
４６Ａ…第２光拡散層
４８、４８Ａ…透過型表示装置
【図１】
0003702328.tif 000002
【図２】
0003702328.tif 000003
【図３】
0003702328.tif 000004
【図４】
0003702328.tif 000005
【図５】
0003702328.tif 000006
【図６】
0003702328.tif 000007
【図７】
0003702328.tif 000008
【図８】
0003702328.tif 000009